(57)【特許請求の範囲】
【請求項１】
グローバルシャッタ方式に従って撮像素子を駆動制御する撮像素子駆動部と、
前記撮像素子駆動部の動作および前記撮像素子駆動部以外の回路であって前記撮像素子から出力される画素信号とは異なる信号のＡ／Ｄ変換処理を実行する他の回路の動作を制御する制御部とを備え、
前記制御部が、グローバルシャッタ撮像における動作切替と、前記他の回路におけるＡ／Ｄ変換処理とを同一タイミングで行わないように、前記撮像素子の各画素を駆動する制御信号の少なくとも一部に対する出力制限、および前記他の回路のＡ／Ｄ変換処理実行の制限のうち、少なくともいずれか一方を行うことを特徴とする撮像装置。
【請求項２】
前記制御部が、前記動作切替のタイミングが前記他の回路のＡ／Ｄ変換処理タイミングと同一である場合、前記撮像素子の各画素を駆動する制御信号の少なくとも一部を出力制限することを特徴とする請求項１に記載の撮像装置。
【請求項３】
前記制御部が、光電変換部のリセットおよび電荷転送を実行させる制御信号の出力タイミングが前記他の回路のＡ／Ｄ変換処理タイミングと同一である場合、該制御信号の出力を制限することを特徴とする請求項２に記載の撮像装置。
【請求項４】
前記制御部が、前記動作切替のタイミングが前記他の回路のＡ／Ｄ変換処理タイミングと同一である場合、前記他の回路の動作を実行させないことを特徴とする請求項１に記載の撮像装置。
【請求項５】
前記制御部が、前記動作切替のタイミングが前記他の回路のＡ／Ｄ変換処理タイミングと同一である場合、前記撮像素子の各画素を駆動する制御信号の少なくとも一部に対する出力制限および前記他の回路のＡ／Ｄ変換処理実行の制限の両方を行うことを特徴とする請求項１乃至４のいずれかに記載の撮像装置。
【請求項６】
前記他の回路のＡＤ変換処理タイミングが、音声記録処理を実行する回路のＡＤ変換処理タイミングを含むことを特徴とする請求項１乃至５のいずれかに記載の撮像装置。
【請求項７】
前記他の回路のＡＤ変換処理タイミングが、装置内温度検出を行う回路のＡＤ変換処理タイミングを含むことを特徴とする請求項１乃至５のいずれかに記載の撮像装置。
【発明の詳細な説明】
【技術分野】
【０００１】
本発明は、ＭＯＳ型撮像素子などを備えた撮像装置に関し、特に、グローバルシャッタ方式による撮像に関する。
【背景技術】
【０００２】
ＣＭＯＳ型イメージセンサなどの撮像素子では、ライン毎に画素信号を読み出すローリングシャッタ方式によって露光動作を通常行うが、全画素同時に電子シャッタ動作を行うグローバルシャッタ方式で画素信号を読み出すことも可能である。そこでは、画素ごとに電荷保持部を備え、全画素同時にリセットをするリセット信号を出力し（グローバルリセット）、全画素同時に蓄積電荷をメモリへ転送する転送信号を出力する（グローバル転送）。
【０００３】
このようなグローバル方式の撮像素子では、リセットトランジスタ、転送トランジスタを全画素同時に切り替える必要があるため、そのときに過大な瞬時電流が流れる。これは、電源ノイズとなって撮像関連の回路に影響を及ぼす。
【０００４】
このような過大な瞬時電流を低減するため、画素駆動部の電源端子と電源線との間にインピーダンス素子（例えば抵抗）を設け、グローバルシャッタ方式による信号電荷読み出し動作時のインピーダンスを、ローリングシャッタ方式による信号電荷読み出し動作時と比べて大きくする（特許文献１参照）。あるいは、リセット信号と転送信号を行ごとに少しずつ遅らせることによって、グローバルシャッタ動作時の瞬時電流を低減する（特許文献２参照）。
【先行技術文献】
【特許文献】
【０００５】
【特許文献１】特開２００９−２９６４００号公報
【特許文献２】特開２０１０−２６８０７９号公報
【発明の概要】
【発明が解決しようとする課題】
【０００６】
撮像素子内にインピーダンス端子を設ける場合、瞬時電流低減のため特別な回路を構成しなければならない。また、リセット信号と転送信号とを行ごとに遅らせる場合でも特別な構成が必要となる。また、リセット信号と転送信号とを遅らせることは、本当の意味でのグローバルシャッタが実現されない。
【０００７】
したがって、グローバルシャッタ方式の撮像において、特別な回路を設けることなく瞬時電流によるノイズ影響を抑えることが求められる。
【課題を解決するための手段】
【０００８】
本発明の撮像装置は、グローバルシャッタ方式に従って撮像素子を駆動制御する撮像素子駆動部と、撮像素子駆動部および所定回路の動作を制御する制御部とを備え、制御部が、グローバルシャッタ動作と所定回路の動作とを同時タイミングで実行させないように、撮像素子駆動部の動作および所定回路の動作の少なくともいずれか一方の動作を制限する。
【０００９】
制御部は、グローバルシャッタ動作が所定回路の動作と同一タイミングであるか否かを判断し、同一タイミングである場合、撮像素子の各画素を駆動する制御信号の少なくとも一部を出力制限することが可能である。
【００１０】
例えば制御部は、光電変換部のリセットおよび電荷転送を実行させる制御信号の出力タイミングが所定回路の動作と同一タイミングである場合、該制御信号の出力を制限することができる。
【００１１】
また、制御部は、グローバルシャッタ動作が所定回路の動作と同一タイミングであるか否かを判断し、同一タイミングである場合、所定回路の動作を実行させないようにすることができる。
【００１２】
例えば制御部は、グローバルシャッタ動作と所定回路のＡＤ変換動作タイミングとを同一タイミングで行わないようにすることができる。所定回路のＡＤ変換動作タイミングには、例えば音声記録処理を実行する回路のＡＤ変換処理タイミングが含まれる。また、所定回路のＡＤ変換動作タイミングには、装置内温度検出を行う回路のＡＤ変換処理タイミングを含むことができる。
【発明の効果】
【００１３】
本発明によれば、グローバルシャッタ方式による撮像において、過大な瞬時電流によるノイズ発生を抑えることができる。
【図面の簡単な説明】
【００１４】
【図１】第１の実施形態であるデジタルカメラのブロック図である。
【図２】撮像素子の所定画素に対する画素回路を示した図である。
【図３】グローバルシャッタ撮像時のタイミングチャートである。
【図４】撮像素子駆動制御処理のフローチャートである。
【図５】画素回路に対する制御信号とＡＤクロック信号とを示した図である。
【図６】第２の実施形態における温度検出制御フローである。
【図７】シャッタモード切替処理のフローチャートである。
【図８】シャッタモード切替処理のフローチャートである。
【発明を実施するための形態】
【００１５】
以下では、図面を参照して本実施形態であるデジタルカメラについて説明する。図１は、第１の実施形態であるデジタルカメラのブロック図である。
【００１６】
デジタルカメラ１０は、カメラ本体３０と、カメラ本体３０に着脱自在な交換レンズ２０とを備える。カメラＣＰＵを含むシステムコントロール回路４０は、電源ボタン、レリーズボタン、モード選択ダイヤル（いずれも図示せず）などに対する入力操作に従い、レンズ制御回路５６、画像処理回路３４などに制御信号を出力し、焦点調整、撮影制御、画像処理、記録処理、再生表示処理など一連のカメラ動作制御を行う。
【００１７】
システムコントロール回路４０は、演算部、ＲＯＭ、ＲＡＭ、インターフェイス回路など（いずれも図示せず）を有し、カメラ動作制御のプログラムは、ＲＯＭなどの記録媒体（図示せず）に記憶されている。操作スイッチ群３８は、電源スイッチ、撮影モード選択スイッチ、レリーズスイッチなどによって構成されている。図示しないタイミングジェネレータは、所定周波数のクロックパルス信号を各回路へ出力する。各回路の動作タイミングは、送られてくるクロックパルス信号に従う。
【００１８】
撮影モードでは、撮影光学系２２を通った被写体からの光が撮像素子３２の受光面に結像し、被写体像が撮像素子３２に形成される。撮像素子３２は、ここでは（Ｍ×Ｎ）の画素配列をさせた２次元単板式のＣＭＯＳ型イメージセンサによって構成されている。また、ベイヤー配列などによる原色カラーモザイクフィルタアレイがオンチップで設けられている。撮像素子駆動回路３６は撮像素子３２を駆動し、１フィールドあるいは１フレーム分の画素信号を撮像素子３２から所定時間間隔で読み出す。
【００１９】
撮像素子３２から読み出された１フィールド／フレーム分の画素信号は、ＡＤ変換器３３によってデジタル信号に変換された後、画像メモリ３５へ一時的に格納される。画像処理回路３４は、１フィールド／フレーム分の画素信号に対して色補間処理、ガンマ補正処理、ホワイトバランス調整などを施し、カラー画像信号を生成する。システムコントロール回路４０は、カラー画像信号に基づいてＬＣＤなどの表示器３７を駆動し、これによってスルー画像が表示器３７に表示される。
【００２０】
レリーズボタンが半押しされると、焦点調節が行われる。レンズＣＰＵ２８は、カメラ側マウント接点およびレンズ側マウントを介してレンズ制御回路５６と通信可能であり、レンズ制御回路５６からの指令に基づきレンズ駆動機構２６を制御する。レンズ駆動機構２６は、レンズＣＰＵ２８からの制御信号に従って撮影光学系２２のフォーカシングレンズを光軸方向に沿って移動させる。また、レリーズボタン半押しに従い、システムコントロール回路４０は撮像素子３２から読み出された画素信号に基づいて被写体の明るさを検出し、露出値（シャッタスピード、絞り値など）を算出する。
【００２１】
レリーズボタンが全押しされると、システムコントロール回路４０は露出制御を行う。ここでは、撮像素子３２の電子シャッタ機能によってシャッタスピード、すなわち露出時間を調整する。レンズＣＰＵ２８は、送られてくる絞り値データに応じて絞り２３の開口度合いを調整し、撮像素子３２へ入射する光量を調整する。なお、モード設定などにより、グローバルシャッタモードの代わりにローリングシャッタ方式による撮像も可能である。さらに、電荷読み出し対象の画素を間引いて（ダウンサンプリング）１フィールド／フレーム分の画素信号をグローバルシャッタあるいはローリングシャッタ方式で読み出すことが可能である。
【００２２】
１フレーム分の画素信号が撮像素子３２から読み出されると、画像処理回路３４は、色変換処理、ホワイトバランス処理、γ補正処理などを１フレーム分の画素信号に対して実行し、静止画像データを生成する。静止画像データは、圧縮処理された後あるいは非圧縮状態で画像メモリ３５へ一時的に格納された後、メモリカードなど着脱自在な記録媒体５４に記録される。
【００２３】
カメラ本体３０上部に設けられたフラッシュ６０は、フラッシュ撮影モードが設定されると、設定された露出値に従って撮影時に閃光する。フラッシュ駆動回路６２は、フラッシュ６０の発光制御を行う。また、撮影モードとしては、動画像記録、静止画像記録いずれも可能であり、モードダイヤル操作に従っていずれかの記録方式が設定される。
【００２４】
マイクロフォン６３は、動画撮影時などに音声などを取り込んで、音を電気信号に変換する。音の信号はＡＤ変換され、動画像とともに音データとして記録される。温度検出器６４は、カメラ本体３０内の温度を検出する回路であり、システムコントロール回路４０は、検出された温度に従い、カメラ動作（撮像素子駆動、焦点検出など）に関するパラメータの調整を行う。
【００２５】
図２は、撮像素子の所定画素に対する画素回路を示した図である。
【００２６】
撮像素子３２の画素３２Ｐに対して構成される画素回路３２Ａは、光電変換部ＰＤ、光電荷保持部ＭＥＭ、電荷電圧変換部ＦＤを備えている。グローバルシャッタ動作のとき、フォトダイオードなどの光電変換部ＰＤに蓄積された電荷は、一時的に光電荷保持部ＭＥＭに保存され、電荷電圧変換部ＦＤに転送される。
【００２７】
ＭＯＳトランジスタＭ１は、光電変換部ＰＤを露光開始タイミングに合わせてリセットするとともに、アンチブルーミング機能をもつ。すなわち、電荷保存中あるいは電荷読み出し中に光電変換部ＰＤへの入射する光が原因となって光電変換部ＰＤから光電荷が漏れるのを防ぐ。ＭＯＳトランジスタＭ２は、光電荷転送用トランジスタであって、光電変換部ＰＤから光電荷保持部ＭＥＭへ光電荷を転送する。
【００２８】
光電荷保持部ＭＥＭに保存された光電荷は、ＭＯＳトランジスタＭ３によって電荷電圧変換部ＦＤへ読み出される。このとき電荷電圧変換部ＦＤは、ＭＯＳトランジスタＭ４によってリセットされる。電荷電圧変換部ＦＤで変換された電圧は、ＭＯＳトランジスタＭ５によって増幅される。ＭＯＳトランジスタＭ６は、読み出し画素を選択して出力信号線ＯＬに画素信号を出力する。
【００２９】
画素制御信号駆動回路３２Ｂは、ＭＯＳトランジスタＭ１、Ｍ２、Ｍ３、Ｍ４、Ｍ６をそれぞれ制御する制御信号φＡＢＧ、φＳＧ、φＦＤＧ、φＲＥＳ、φＳＥＬを出力する。電源ＶＤＤは、画素回路３２Ａ、画素制御信号駆動回路３２Ｂへ電源供給するとともに、フィルタなどを介してその他回路へも電源供給する。
【００３０】
図３は、グローバルシャッタ撮像時のタイミングチャートである。図３を用いて、グローバルシャッタ撮像のとき生じる過大瞬時電流について説明する。
【００３１】
光電変換部ＰＤのリセット期間Ｔ０から電荷蓄積期間（露光期間）Ｔ１へ切り替わるとき、制御信号φＡＢＧ、φＳＧが全画素一斉にＯＮからＯＦＦに切り替わる。このとき、画素制御信号駆動回路３２Ｂと接続する電源ＶＤＤに過大な瞬時電流が流れることで電源電圧が急変動し、電源ノイズが生じる。
【００３２】
電荷蓄積期間Ｔ１から電荷転送期間Ｔ２に切り替わるときも、制御信号φＦＤＧ、φＳＧが全画素に対しオンオフ切り替えられるため、過大な瞬時電流が流れて電源ノイズが生じる。また、電荷転送期間Ｔ２から電荷保持期間Ｔ３へ切り替わるときも、制御信号φＳＧ、φＡＢＧによって電源ノイズが生じる。
【００３３】
電荷保持期間Ｔ３から電荷読出し期間Ｔ４への切り替わると、電荷読み出しが行われる。電荷読出し動作は、まず、制御信号φＲＥＳをＬｏｗレベルに切り替えて電荷電圧変換部ＦＤのリセットを解除し、制御信号φＳＥＬをＨｉｇｈレベルに切り替えて読出し画素を選択する。
【００３４】
次に、出力信号線ＯＬに接続された図示しないＣＤＳ回路においてパルス信号φＮによりノイズ信号（リセットノイズ）をサンプリングする一方、電荷保持部ＭＥＭに保持されている光電荷信号を電荷電圧変換部ＦＤに転送してその出力信号をパルス信号φＳによりサンプリングする。そして、先のノイズ信号との差分から画素信号を生成する。電荷読み出しは行ごとに行われるため、過大な瞬時電流は流れず、電源電圧は比較的安定する。
【００３５】
全画素読出しが終了すると、次の露光に備えて制御信号φＳＧ、φＦＤＧ、φＲＥＳが全画素に対し一斉にオンオフ切り替えられる。そのため、過大な瞬時電流が流れて電源ノイズが発生する。
【００３６】
このようにグローバルシャッタ方式による撮像動作には、光電変換部のリセット時、光電荷転送時において過大な瞬時電流が流れる。これは他の回路動作に影響を及ぼす。そこで本実施形態では、他の回路動作時に過大な瞬時電流が流れないように画素回路３２Ａへの制御信号出力を制御する。
【００３７】
具体的には、動画撮影時の音声記録処理において、光電変換部ＰＤのリセットタイミング（Ｔ０→Ｔ１、Ｔ５→Ｔ０）および電荷転送タイミング（Ｔ１→Ｔ２、Ｔ２→Ｔ３）と、マイクロフォン６３によって得られる音の信号のＡＤ変換タイミングとが一致する場合、光電変換部リセットおよび電荷転送に関する制御信号出力（オンオフ切替）を制限する。
【００３８】
図４は、撮像素子駆動制御処理のフローチャートである。図５は、画素回路に対する制御信号とＡＤクロック信号とを示した図である。
【００３９】
ステップＳ１０１では、センサコマンド発行許可信号が許可状態（ＯＮ状態）であるか否かが判断される。図５に示すように、センサコマンド発行許可信号は、光電変換部ＰＤのリセットおよび電荷伝送を実行する制御信号の出力許可タイミングを表す信号であり、音の信号のＡＤ変換処理タイミングを示すＡＤクロック信号に応じて、ＯＮ（許可）とＯＦＦ（不許可）とが切り替えられる。動画撮影時、センサコマンド発行許可信号が出力される。
【００４０】
センサコマンド発行許可信号がＯＮ状態、すなわち許可している場合、画素制御信号駆動回路３２Ｂに対してすべての制御信号を出力可能にする（Ｓ１０２）。一方、センサコマンド発行許可信号がＯＦＦ状態である（許可しない）場合、光電変換部ＰＤのリセット、電荷転送に関する制御信号の出力を禁止する（Ｓ１０３）。
【００４１】
これにより、音の信号のＡＤ変換時に瞬時電流が流れないため、記録音声にノイズが乗るといった不具合を防ぐことができる。なお、コマンド発行禁止期間中に発行される予定だったコマンドは、次のコマンド発行許可期間になるまで待機状態となり、コマンド発行許可タイミングになったら発行される。したがって、動画撮影記録処理に関して実質的に支障をきたすことはない。
【００４２】
このように本実施形態によれば、グローバルシャッタ方式による撮像を行うデジタルカメラ１０において、音声記録時に行われる音信号のＡＤ変換タイミングと、画素制御信号駆動回路３２Ｂから光電変換部ＰＤのリセット、電荷転送のための制御信号を出力するタイミングとが一致する場合、リセットおよび電荷転送の制御信号の出力を停止する。
【００４３】
次に、図６を用いて、第２の実施形態について説明する。第２の実施形態では、光電変換部のリセットおよび電荷転送のタイミングが、カメラ内で実行される温度検出処理のＡＤ変換タイミングと一致する場合、撮像素子の駆動ではなく、温度検出処理を制限する。それ以外の構成については、第１の実施形態と実質的に同じである。
【００４４】
図６は、第２の実施形態における温度検出制御フローである。光電変換部ＰＤのリセットおよび電荷転送の制御信号が出力されるタイミングと温度検出時に得られる信号のＡＤ変換タイミングとが同じであると判断されると、温度検出処理を中断する（Ｓ２０１、Ｓ２０２）。そうでない場合、温度検出処理を継続する（Ｓ２０１、Ｓ２０３）。これにより、誤った温度を検出し、それに基づいたカメラ動作のパラメータを調整するのを防ぐことができる。
【００４５】
なお、第１の実施形態と第２の実施形態とを組み合わせてもよい。この場合、撮像素子駆動制御信号の出力と、他の回路のＡＤ変換処理などの動作いずれかを制限し、あるいは、両方とも制限してもよい。また、温度検出、音の記録処理に関する回路以外の所定回路の動作において、過大瞬時電流が流れると影響のある他のＡＤ変換処理が行われる場合についても、同様に画素駆動の制御信号出力を制限し、あるいはＡＤ変換処理実行を制限するようにすることが可能である。
【００４６】
なお、ライブビュー（スルー画像表示）モードの場合、グローバルシャッタモードによる撮像を行うと過大な瞬時電流が流れるため、ライブビューのときには全画素ローリングシャッタ動作を行うか、画素間引きした上でローリングシャッタ動作を行うのがよい。
【００４７】
図７は、シャッタモード切替処理のフローチャートである。
【００４８】
ライブビューモードの場合、全画素もしくは画素間引きのローリングシャッタ動作を行う（Ｓ３０１、Ｓ３０２）。静止画像撮影モードでレリーズボタンが操作されると（Ｓ３０３、Ｓ３０４）、全画素グローバルシャッタモードに設定する（Ｓ３０５）。一方、動画撮影モードの場合、画素間引きのグローバルシャッタモードを設定する（Ｓ３０６）。
【００４９】
一方、ライブビューの時には間引きグローバルシャッタモードを設定することも可能である。
【００５０】
図８は、シャッタモード切替処理のフローチャートである。ライブビューモードの場合、画素間引きしたグローバルシャッタモードが設定される（Ｓ４０１、Ｓ４０２）。ステップＳ４０３〜Ｓ４０６の実行は、図７のステップＳ３０３〜Ｓ３０６の実行と同じである。
【符号の説明】
【００５１】
１０  デジタルカメラ
３２Ｂ  画素制御信号駆動回路（撮像素子駆動部）
３６  撮像素子駆動回路（撮像素子駆動部）
４０  システムコントロール回路（制御部）
【図１】
0006733217.tif 000002
【図２】
0006733217.tif 000003
【図３】
0006733217.tif 000004
【図４】
0006733217.tif 000005
【図５】
0006733217.tif 000006
【図６】
0006733217.tif 000007
【図７】
0006733217.tif 000008
【図８】
0006733217.tif 000009